(57)【要約】【課題】持ち運び時の利便性向上と内突法規対応との両立を可能にしたキー装置を提供すること。【解決手段】筐体４は、キープレート５の展開及び格納に応じて変形し、展開位置と格納位置で、筐体４の体格が長さ方向（筐体４の長辺に沿った方向）に異なる。詳述すると、筐体４は、格納位置においてはキープレート５以上の長さに変形し、展開位置においてはキープレート５以下の長さに変形する。筐体４の変形を実現するための構造がリンク機構１２である。リンク機構１２は、キープレート５が格納位置から展開位置に向かうキー展開時に筐体４の体格が長さ方向に縮小されるようにサブ筐体３をメイン筐体２の内方へ導くとともに、キープレート５が展開位置から格納位置に向かうキー格納時に筐体４の体格が長さ方向に拡大されるようにサブ筐体３をメイン筐体２の外方へ導く。【選択図】図１
2019073923.tif 000002
【特許請求の範囲】
【請求項１】
キープレートを有するキー装置において、
前記キープレートを展開可能に格納し、展開及び格納に応じて変形する筐体と、
前記キープレートの展開位置と格納位置では、前記筐体の体格が長さ方向に異なる
ことを特徴とするキー装置。
【請求項２】
前記筐体は、前記格納位置においては前記キープレート以上の長さに変形し、前記展開位置においては前記キープレート以下の長さに変形する
請求項１に記載のキー装置。
【請求項３】
前記筐体は、変形部位を挟んでメイン筐体とサブ筐体に分かれており、前記メイン筐体側に前記キープレートが保持されている
請求項１又は２に記載のキー装置。
【請求項４】
前記キープレートの回動に連動して前記サブ筐体を駆動する駆動手段を備える
請求項３に記載のキー装置。
【発明の詳細な説明】
【技術分野】
【０００１】
本発明は、キープレートを有するキー装置に関する。
【背景技術】
【０００２】
特許文献１には、遠隔操作用のボタンが設けられた筐体からキープレートが突出するように両者が一体的に組付固定されたキー装置が開示されている。この種のキー装置はワイヤレスキーと称され、車両キーとして使用する場合、筐体を把持してキープレートを鍵穴に差し込むことで機械的操作によるドアの施解錠並びにエンジンの始動及び停止が可能になる他、ボタン操作をすることで遠隔操作によるドアの施解錠等が可能になる。
【０００３】
また、持ち運び時の利便性を向上するために、キープレートを筐体内に畳み込めるようにした折り畳み式のキー装置が提案されている。このタイプのキー装置はジャックナイフキーと称され、キー実使用時にはキープレートが展開され、持ち運び時にはキープレートが格納される。
【先行技術文献】
【特許文献】
【０００４】
【特許文献１】特開２０１３−１５２８１９号公報（［図１］）
【発明の概要】
【発明が解決しようとする課題】
【０００５】
キー折り畳み機能を持たない通常のワイヤレスキーに対しジャックナイフキーは、キー折り畳み機能の追加に伴い、筐体の体格が大きくなり、キー実使用時にキープレートを展開したとき、キー全体の体格が大きくなる。仮に、車両搭載時にキーの一部がハンドルから飛び出ると、車両に関する法規のうち内突法規を満足できない。この場合、内突法規を満足させるために、ハンドル或いはインパネラインの意匠を変更して、体格が大きくなったキーを、内突対象エリア外にすることで対応することになるが、車両としての意匠が制約される懸念がある。
【０００６】
本発明は、このような問題点に着目してなされたものであって、その目的は、持ち運び時の利便性向上と内突法規対応との両立を可能にしたキー装置を提供することにある。
【課題を解決するための手段】
【０００７】
上記課題を解決するキー装置は、キープレートを有するキー装置において、前記キープレートを展開可能に格納し、展開及び格納に応じて変形する筐体と、前記キープレートの展開位置と格納位置では、前記筐体の体格が長さ方向に異なる。
【０００８】
この構成によれば、キープレートの展開及び格納に応じて筐体の体格が長さ方向に異なるように筐体が変形するため、持ち運び時の利便性が向上するとともに、内突法規に対応できるようになる。したがって、持ち運び時の利便性向上と内突法規対応とを両立できる。
【０００９】
上記キー装置について、前記筐体は、前記格納位置においては前記キープレート以上の長さに変形し、前記展開位置においては前記キープレート以下の長さに変形することとしてもよい。
【００１０】
この構成によれば、格納位置においてはキープレート以上の長さに筐体が変形することでキープレートを格納できるとともに、展開位置においてはキープレート以下の長さに筐体が変形することで内突法規に対応できる。
【００１１】
上記キー装置について、前記筐体は、変形部位を挟んでメイン筐体とサブ筐体に分かれており、前記メイン筐体側に前記キープレートが保持されていることとしてもよい。
この構成によれば、サブ筐体側でキープレートを保持しなくてもよい分、サブ筐体の体格を小さくできる。
【００１２】
上記キー装置について、前記キープレートの回動に連動して前記サブ筐体を駆動する駆動手段を備えることとしてもよい。
この構成によれば、駆動手段によりサブ筐体を駆動することで、メイン筐体側の長さに応じて、サブ筐体の長さを決定できる。
【発明の効果】
【００１３】
本発明によれば、持ち運び時の利便性向上と内突法規対応とを両立できる。
【図面の簡単な説明】
【００１４】
【図１】メカ式の駆動手段を備える第１の実施の形態のキー装置について、（ａ）はキー展開時の外観と筐体縮小の原理を示す模式図、（ｂ）はキー格納時の外観と筐体拡大の原理を示す模式図。
【図２】通常のワイヤレスキー（比較例１）とジャックナイフキー（比較例２）とキー装置（本例）を使用用途毎に評価した図。
【図３】電気式の駆動手段を備える第２の実施の形態のキー装置について、（ａ）はキー展開時の外観と筐体縮小の原理を示す模式図、（ｂ）はキー格納時の外観と筐体拡大の原理を示す模式図。
【発明を実施するための形態】
【００１５】
（第１の実施の形態）
以下、キー装置の第１の実施の形態について説明する。
図１（ａ）、（ｂ）に示すように、ジャックナイフタイプのキー装置１は、メイン筐体２及びサブ筐体３によって構成される筐体４に対し、キープレート５が展開可能に格納されている。筐体４は、遠隔操作用のボタン６〜８が設けられたメイン筐体２と、そのメイン筐体２よりも一回り小さく当該メイン筐体２の内外に向かってスライドするように変位されるサブ筐体３とにより、全体の外形が略直方体をなしている。尚、メイン筐体２及びサブ筐体３は共に、それぞれを構成する上下分割体が嵌合或いは接着により一体化されている。ちなみに、ボタン６は、ドアの施錠を指示するロックボタンであり、ボタン７は、トランクの開動作を指示するトランク開ボタンであり、ボタン８は、ドアの解錠を指示するアンロックボタンである。
【００１６】
筐体４の長辺に沿った一方の側端面には、筐体４内に畳み込まれるキープレート５の寸法に対応する格納溝９が、該当するメイン筐体２の部位からサブ筐体３の部位まで連続するように形成されている。そして、キー装置１は、キープレート５が筐体４内に畳み込まれて格納溝９内で保持されるキー折り畳み機能を有し、キー折り畳み状態において、キープレート５の端面と筐体４の側端面が略同一平面（いわゆる面一）となる。キー折り畳み機能を有することで持ち運び時の利便性が向上することになる。例えば、キープレート５の先端等による他（キーホルダ或いはポケット等）への傷付き防止が図られる他、キープレート５の摩耗が抑制される。また、持ち運び時の体格が小型化されるとともに、意匠性が高められる等の利点がある。
【００１７】
筐体４内には、キープレート５を回動可能に支持するロータピース１０が設けられている。ロータピース１０は、キープレート５と一体或いは別体のいずれであってもよい。ロータピース１０は、キープレート５を筐体４から突出された展開位置と筐体４内に畳み込まれた格納位置との間に亘って回動させる。ロータピース１０は、筐体４の隅部のうち、サブ筐体３による隅部とは反対側の隅部であって、且つ、格納溝９が形成されている側の隅部に対応して設けられている。すなわち、キー装置１は、メイン筐体２側にキープレート５が回動可能に保持された回転型ジャックナイフキーである。
【００１８】
また、筐体４には、ロータピース１０に対応して操作ボタン１１が設けられているとともに、その操作ボタン１１とロータピース１０との間には、操作ボタン１１の操作を受けてキープレート５を格納位置から展開位置に向かわせる付勢力をロータピース１０に付与するスプリング（図示略）が介在されている。これにより、キープレート５は、持ち運び時にスプリングの付勢力に抗して格納溝９内の格納位置にて保持されるとともに、キー実使用時に操作ボタン１１が操作されると、スプリングの付勢力を受けて格納位置から展開位置まで回動されて当該展開位置にて保持される。尚、キープレート５が展開位置にて保持されている状態で操作ボタン１１が操作されると、操作ボタン１１が押圧位置で保持されてキープレート５を展開位置から格納位置まで手動で回動可能となり、キープレート５が格納位置に到達すると、操作ボタン１１が操作前の位置に自動復帰してキープレート５が格納位置にて保持される。
【００１９】
ところで、筐体４は、キープレート５の展開及び格納に応じて変形し、展開位置と格納位置で、筐体４の体格が長さ方向（筐体４の長辺に沿った方向）に異なる。詳述すると、筐体４は、格納位置においてはキープレート５以上の長さに変形し、展開位置においてはキープレート５以下の長さに変形する。すなわち、筐体４は、格納位置においてキープレート５の全体を格納できる長さの体格を有し、展開位置においてキープレート５を格納する訳ではないが、仮に格納するとしてもキープレート５の一部を格納できない長さの体格を有する。尚、筐体４の幅方向と厚さ方向の体格は展開及び格納にかかわらず、常にメイン筐体２の幅方向と厚さ方向の体格に由来して変化しない。
【００２０】
そして、筐体４の変形を実現するための構造として、筐体４内には、ロータピース１０によるキープレート５の回動に連動して、筐体４の体格が変更されるようにサブ筐体３をメイン筐体２の内外に向かってスライドさせるリンク機構１２が設けられている。リンク機構１２の一端はロータピース１０に連結され、リンク機構１２の他端はサブ筐体３に連結されている。リンク機構１２は、キープレート５が格納位置から展開位置に向かうキー展開時に筐体４の体格が長さ方向に縮小されるようにサブ筐体３をメイン筐体２の内方へ導くとともに、キープレート５が展開位置から格納位置に向かうキー格納時に筐体４の体格が長さ方向に拡大されるようにサブ筐体３をメイン筐体２の外方へ導く。リンク機構１２は、キープレート５の回動に連動してサブ筐体３を駆動するメカ式の駆動手段を構成する。また、サブ筐体３のうち、キー展開時にメイン筐体２の内方に入り込んで筐体４の縮小に寄与する部位が変形部位に相当する。筐体４は、当該変形部位を挟んでメイン筐体２とサブ筐体３に分かれていることになる。
【００２１】
次に、キー装置１の作用について説明する。
図２に示すように、左側から順に、キー折り畳み機能を持たない通常のワイヤレスキーを「比較例１」、キー折り畳み機能を有するジャックナイフキーを「比較例２」、キープレート５の回動に連動して筐体４の体格が変更されるキー装置１を「本例」とする。
【００２２】
まず、「比較例１」では、筐体からキープレートが常に突出されているため、持ち運び時の評価は「×」である。また、「比較例１」では、キー折り畳み機能を持たないことから筐体ひいてはキー全体の体格が大きくならないため、キー実使用時（車両走行中）の評価は「○」である。さらに、「比較例１」では、内突法規を満足させるために、ハンドル或いはインパネラインの意匠を変更しなくてもよいため、内突法規対応可否の評価は「○」である。尚、図１の下段に斜線で示されたエリアが内突法規ＮＧエリア（内突対象エリア）であり、このエリア内にキーの一部が含まれるとき、内突法規が満足されないため、ハンドル或いはインパネラインの意匠を変更して、内突法規に対応する必要が生じる。
【００２３】
次いで、「比較例２」では、「比較例１」に対しキー折り畳み機能が追加されているため、持ち運び時の評価は「○」である。また、「比較例２」では、キー折り畳み機能の追加に伴い、筐体の体格が大きくなり、キープレートを展開したとき、キー全体の体格が大きくなるため、キー実使用時（車両走行中）の評価は「×」である。さらに、「比較例２」では、内突法規を満足させるために、ハンドル或いはインパネラインの意匠を変更する必要があるため、内突法規対応可否の評価は「×」である。
【００２４】
次いで、「本例」では、「比較例２」と同様、キー折り畳み機能を有しているため、持ち運び時の評価は「○」である。また、「本例」では、キー展開時にサブ筐体３がメイン筐体２の内方に導かれて筐体４の体格が長さ方向に縮小されるため、キー実使用時（車両走行中）の評価は「○」である。さらに、「本例」では、内突法規を満足させるために、ハンドル或いはインパネラインの意匠を変更しなくてもよいため、内突法規対応可否の評価は「○」である。
【００２５】
以上説明したように、本実施の形態によれば、以下の効果を奏することができる。
（１）キープレート５の展開及び格納に応じて筐体４の体格が長さ方向に異なるように筐体４が変形するため、持ち運び時の利便性が向上するとともに、ハンドル或いはインパネラインの意匠変更を伴うことなく内突法規に対応できるようになる。したがって、持ち運び時の利便性向上と内突法規対応とを両立できる。
【００２６】
（２）格納位置においてはキープレート５以上の長さに筐体４が変形することでキープレート５を格納できるとともに、展開位置においてはキープレート５以下の長さに筐体４が変形することで内突法規に対応できる。
【００２７】
（３）サブ筐体３側でキープレート５を保持しなくてもよい分、サブ筐体３の体格を小さくできる。
（４）リンク機構１２を含むメカ式の駆動手段によりサブ筐体３を駆動することで、メイン筐体２側の長さに応じて、サブ筐体３の長さを決定できる。
【００２８】
（第２の実施の形態）
次に、キー装置の第２の実施の形態について説明する。
図３（ａ）、（ｂ）に示すように、本実施の形態のキー装置２１は、キープレート５の回動に連動して筐体４の体格が変更される点で上記第１の実施の形態のキー装置１と同じであり、電気式の駆動手段により筐体４の体格が変更される点でメカ式の駆動手段（リンク機構１２）により筐体４の体格が変更されるキー装置１とは異なる。
【００２９】
筐体４内には、電気式の駆動手段としてモータ２２を含むアクチュエータが内蔵されている。モータ２２は、図示しないマイコンによって駆動が制御される。そして、モータ２２の駆動力がアクチュエータを通じてサブ筐体３に伝達される。
【００３０】
マイコンは、キープレート５の位置を検出するセンサ（図示略）によってキープレート５が格納位置にて保持されていることが検出されているとき、操作ボタン１１の操作を契機にモータ２２を例えば順方向に回転させる。このとき、モータ２２が順方向に回転することでアクチュエータによりサブ筐体３がメイン筐体２の内方へ導かれて筐体４の体格が長さ方向に縮小される。尚、キープレート５が格納位置にて保持されている状態で操作ボタン１１が操作されると、上記第１の実施の形態と同様、キープレート５は、スプリングの付勢力を受けて格納位置から展開位置まで回動されて当該展開位置にて保持される。言い換えると、キー展開時には操作ボタン１１がキー展開ボタンとして機能し、この操作ボタン１１の操作に基づいて、マイコンからモータ２２に対し、筐体４の縮小を指示する信号Ａが出力されることになる。
【００３１】
また、マイコンは、上記センサによってキープレート５が展開位置にて保持されていることが検出されているとき、操作ボタン１１の操作を契機にモータ２２を逆方向に回転させる。このとき、モータ２２が逆方向に回転することでアクチュエータによりサブ筐体３がメイン筐体２の外方へ導かれて筐体４の体格が長さ方向に拡大される。尚、キープレート５が展開位置にて保持されている状態で操作ボタン１１が操作されると、上記第１の実施の形態と同様、キープレート５は、スプリングの付勢力に抗して展開位置から格納位置まで手動で回動可能となり、当該格納位置にて保持される。言い換えると、キー格納時には操作ボタン１１がキー格納ボタンとして機能し、この操作ボタン１１の操作に基づいて、マイコンからモータ２２に対し、筐体４の拡大を指示する信号Ｂが出力されることになる。
【００３２】
尚、キー装置２１の作用は上記第１の実施の形態のキー装置１の作用と同様であり、図２に示す「本例」をキー装置１からキー装置２１に置き換えたものに等しい。
以上説明したように、本実施の形態によれば、上記第１の実施の形態による（１）〜（３）の効果と同様の効果に加え、さらに以下の効果を奏することができる。
【００３３】
（５）モータ２２を含む電気式の駆動手段によりサブ筐体３を駆動することで、メイン筐体２側の長さに応じて、サブ筐体３の長さを決定できる。
尚、上記各実施の形態は、次のように変更して具体化することも可能である。
【００３４】
・筐体４はメイン筐体２とサブ筐体３に分かれていることに限らず、例えば蛇腹構造が中間に位置して、一つの筐体４で長さ方向に伸縮するように変形可能なアコーディオン型であってもよい。この場合、蛇腹部位が変形部位に相当し、その蛇腹部位を挟んで筐体４が便宜的にメイン筐体２とサブ筐体３に分かれていることになる。
【００３５】
・回転型ジャックナイフキーに代えて、キープレート５が長さ方向に真っ直ぐ押し出される飛び出し型ジャックナイフキーにおいて、サブ筐体３側にキープレート５が保持されていてもよい。ただし、キープレート５全体を突出させるためにサブ筐体３が長くなり、筐体４全体の体格が長さ方向に大きくなる懸念があるため、上記各実施の形態に倣い、メイン筐体２側にキープレート５が保持されている構成の方が好ましい。
【００３６】
・操作ボタン１１の操作に基づいて、電気的にキープレート５が回動されるキー装置であってもよい。この場合、モータ等のキー駆動手段にて電気的にキープレート５が回動されるとともに、上記第１の実施の形態に倣いリンク機構１２にてメカ的に筐体４の体格が変更されてもよい。或いは、モータ等のキー駆動手段にて電気的にキープレート５が回動されるとともに、上記第２の実施の形態に倣いモータ２２にて電気的に筐体４の体格が変更されてもよい。
【符号の説明】
【００３７】
１…キー装置、２…メイン筐体、３…サブ筐体、４…筐体、５…キープレート、６〜８…遠隔操作用のボタン、９…格納溝、１０…ロータピース、１１…操作ボタン、１２…リンク機構（駆動手段）、２１…キー装置、２２…モータ（駆動手段）。
【図１】
2019073923.tif 000003
【図２】
2019073923.tif 000004
【図３】
2019073923.tif 000005